(57)【要約】優れた断熱性と加工性を持つ発泡スチロールを用いることによって所望の３次元形状を容易に具体化できる３次元装飾パネルが開示される。前記パネルには、雨水を排出するために前記発泡スチロール（２０）の側面に形成された排出溝（２２）と、前記発泡スチロール（２０）の後面に結合された金属板（１０）と、前記複数の折り曲げ部分（１１）を有する金属板（１０）と、前記金属板（１０）に取り付けられている補強芯（１２）と、が含まれる。前記発泡スチロール（２０）の耐久性を向上させるため、ポリガード（３０）、シリコン（３１）、ポリガード（３０）、プライマ（３２）、及び着色層（３３）が順次に前記発泡スチロール（２０）の表面に積層されている。【選択図】図２
2009504443.tif 000002
【特許請求の範囲】
【請求項１】
軽量で加工性に優れた発泡スチロールから成る３次元装飾パネル２０であって、
雨水を排出するために前記発泡スチロール２０の側面に形成された排出溝２２と、さらに、
前記発泡スチロール２０の後面に結合され、複数の折り曲げ部分１１を有するとともに補強芯１２が取り付けられていることを特徴とする金属板１０と、を含み、
前記発泡スチロール２０の耐久性を向上させるため、ポリガード３０、シリコン３１、ポリガード３０、プライマ３２、及び着色層３３が順次に前記発泡スチロール２０の表面に積層されていることを特徴とする３次元装飾パネル。
【請求項２】
軽量で加工性に優れた発泡スチロールから成る３次元装飾パネル２０であって、
雨水を排出するために前記発泡スチロール２０の側面に形成された排出溝２２と、
タイル４１を係止するために前記発泡スチロール２０の表面に形成された係止部分４０と、さらに、
前記発泡スチロール２０の後面に結合され、複数の折り曲げ部分１１を有するとともに補強芯１２が取り付けられていることを特徴とする金属板１０と、を含み、
前記発泡スチロール２０の耐久性を向上させるため、ポリガード３０、シリコン３１、ポリガード３０、プライマ３２、及び着色層３３が順次に前記発泡スチロール２０の表面に積層されていることを特徴とする３次元装飾パネル。
【請求項３】
請求項１又は２に記載の３次元装飾パネルであって、前記補強芯１２には複数の係止穴１４が軸方向に設けられており、弾性スリーブ１５の係止ヘッドが、前記パネルを壁に設置するため、前記係止穴１４に固定され、さらに前記係止ヘッドが２つの部品に分割されていることを特徴とする３次元装飾パネル。
【発明の詳細な説明】
【技術分野】
【０００１】
本発明は、優れた断熱性と加工性を持つ発泡スチロールを用いることによって所望の３次元形状を容易に具体化できる３次元装飾パネルに関するものである。
【背景技術】
【０００２】
発泡スチロールには、断熱性に優れ、軽量のために輸送が容易であるという長所があるが、耐久性が弱いという短所もある。
【０００３】
耐久性が弱いということは、発泡スチロールは容易に加工され得ることを意味する。また、発泡スチロールは軽量のため容易に移動することが可能なので、突条、文字、陰刻（沈み彫り）、及び陽刻（浮き彫り）などの３次元形状のエンボス加工を容易に実行することが可能である。したがって、発泡スチロールは３次元パネルとして加工されることが望ましい。
【０００４】
エンボス加工された発泡スチロールを装飾パネルとして使用するためには、その耐久性を補強する必要がある。その耐久性は、発泡スチロールの裏面に補強芯を有する金属板を付着するか又はポリガードやシリコンを発泡スチロールの表面に塗布することによって得ることも可能である。
【０００５】
通常３次元装飾仕上げは、木材を用いるか又は壁に自然石や人工石を貼ることによって達成される。しかしながら、材料コストが増大し、前記材料の機械加工が困難であるという欠点がある。
【発明の開示】
【発明が解決しようとする課題】
【０００６】
本発明は、前述の問題点に鑑みてなされたものであり、装飾仕上げ材の多様化を実現できる３次元装飾パネルを提供することが本発明の目的である。
【０００７】
上記目的を達成するために、本発明の一実施態様では、軽量で加工性に優れた発泡スチロールから成る３次元装飾パネルが提供されるものであって、該３次元装飾パネルには、雨水を排出するために前記発泡スチロールの側面に形成された排出溝と、前記発泡スチロールの後面に結合され、複数の折り曲げ部分を有するとともに補強芯が取り付けられていることを特徴とする金属板と、が含まれ、前記発泡スチロールの耐久性を向上させるため、ポリガード、シリコン、ポリガード、プライマ、及び着色層が順次に前記発泡スチロールの表面に積層されている。
【発明の効果】
【０００８】
上記構造により、本発明の３次元装飾パネルはさまざまな形状で製造することが可能である。また、前記パネルは要素で製造されるので、設置現場で塵埃や匂いを生じることがない。
【０００９】
前記パネルは、組立品として現場に設置されるので、作業期間を短縮できる。
【００１０】
さらに、前記３次元パネルは、カラーの量感と触感を適当に表示できるように、さまざまなカラーを搭載して提供することも可能である。
【発明を実施するための最良の形態】
【００１１】
これから、本発明の好適な実施形態を詳細に参照する。
【００１２】
図１は、本発明の好適な実施形態に係る３次元装飾パネルを図解説明する分解斜視図である。
【００１３】
図１を参照すると、前記３次元装飾パネルには、複数の折り曲げ部分１１を有する金属板１０が含まれる。前記金属板１０には、発泡スチロール２０に挿入されて前記発泡スチロール２０を支持することにより、その耐久性を向上させる補強芯１２が設けられている。
【００１４】
前記折り曲げ部分１１ａは前記金属板１０の構造性能を向上させるためのものである。前記折り曲げ部分１１を有する前記金属板１０が同一材料と同一構造から成る平面部分を有する金属板と引張試験、圧縮試験、及び抗折試験で比較された結果によれば、前記折り曲げ部分１１は前記平面部分よりも高い強度を持つ。
【００１５】
前記折り曲げ部分１１のために、薄い厚さを有する前記金属板１０を利用することが可能であり、それによって製造コストが低減される。
【００１６】
前記発泡スチロール２０は、図１に示すように、前記補強芯１２が挿通される穴２１とともにその中心部分に設けられる。排出溝２２は前記発泡スチロール２０の全側面に形成される。
【００１７】
前記排出溝２２は、本発明のパネルが外壁材又は屋根材として設置される場合に雨水の浸透を防止するためのものである。雨水が浸透する場合、その雨水は前記排出溝２２に沿って流下して外部に排出される。したがって、雨水は前記パネル内に浸透することができない。
【００１８】
通常は組み付けられたパネル間にライナが挟入されるが、本発明のパネルでは、前記ライナの機能を持つ前記排出溝２２が前記パネル上に形成されることを特徴とする。
【００１９】
図４は、本発明の実施形態に係る３次元装飾パネルを前記壁に固定するための前記弾性スリーブ１５を図解説明する斜視図であり、図５は、前記３次元装飾パネルを前記壁に固定するための前記弾性スリーブ１５を図解説明する断面図である。
【００２０】
図４及び図５を参照すると、めねじ部分を有する前記弾性スリーブ１５は、前記壁に固定されたアンカーボルト１７に締着される。
【００２１】
前記弾性スリーブ１５は六角形状の周辺部を持つので、モンキーレンチなどのツールによって容易に締着できるようになっている。前記弾性スリーブ１５は、その前端部に形成された対向斜面１６ａを有する係止ヘッド１６を持つ。
【００２２】
前記弾性スリーブ１５を受け入れる前記補強芯１２には、前記係止ヘッド１６が軸方向に沿って係止される複数の係止穴１４が設けられている。
【００２３】
前記弾性スリーブ１５の係止ヘッド１６は２つの部分に分割されているので、前記係止ヘッド１６が前記補強芯１２に挿入されると、前記係止ヘッド１６は内方向に縮小し、次いで前記補強芯１２の係止穴１４に弾性係止することが可能になっている。前記係止ヘッド１６の前後部分における前記傾斜面１６ａの形成により、前記３次元パネルの前記壁取り付け・取り外しが容易になっている。
【００２４】
前記補強芯１２には前記複数個の係止穴１４が軸方向に沿って設けられているので、前記対象壁の状態（たとえば傾斜壁や前記壁の不規則表面）にかかわらず、前記３次元パネルを前記壁に設置することが可能である。
【００２５】
前記発泡スチロール２０は、ＥＰＳとも呼ばれる発泡スチロールのブランド名である。前記発泡スチロール２０は白色で軽量であり、優れた耐水性、優れた断熱性、優れた防音性、優れた衝撃吸収性、及び優れた加工性を有するので、一般的に建設資材として使用されている。
【００２６】
また、本発明のパネルは、前記発泡スチロール２０が陽刻（浮き彫り）された後に、前記発泡スチロール２０の耐久性を補強するようにポリガード３０やシリコン３１ａを前記発泡スチロール２０の表面に塗布し、次いで前記発泡スチロール２０を速硬化させることと、前記補強芯１２が取り付けられる前記複数個の折り曲げ部分１１を有する前記金属板１０が前記発泡スチロール２０の後面に取り付けられることとを、その特徴とする。本発明の断面構造を図２に示す。
【００２７】
図２を参照すると、前記ポリガード、前記シリコン３１、前記ポリガード３０、プライマ３２、及び着色層３３が順次に前記金属板１０に係合された前記発泡スチロール２０の表面に積層されており、それは図２で円印によって示した拡大図に示されている。
【００２８】
前記発泡スチロールが硬化される前に、前記発泡スチロールは３次元形状を有するように陽刻（浮き彫り）される。
【００２９】
この作業は手動で行うことも可能であるが、大量生産の場合には、既存製品と新製品の各エレメントをＣＡＤ操作を介してデジタル化することが可能であり、前記発泡スチロールは、３次元形状を有するようにＣＮＣマシンによって自動的に陽刻（浮き彫り）される。
【００３０】
前記発泡スチロール２０の機械加工が完了後、上記のように前記ポリガード、前記シリコン３１、前記ポリガード３０、前記プライマ３２、及び前記着色層３３が順次に前記発泡スチロール２０の表面に積層される。前記ポリガード３０は非発泡ポリウレタンコーティングであり、速硬化を促進するために塗布される。
【００３１】
前記ポリガード３０の塗布後に、前記シリコン３１が前記ポリガード３０に噴霧される。
【００３２】
前記シリコン３１は、前記発泡スチロール２０の強度を高めるためのものである。また、前記ポリガード３０は、再び前記シリコン３１に塗布されて粒状シリコン３１剥離を防止する。
【００３３】
前記プライマ３２は前記ポリガード３０に塗布される。前記プライマ３２は、前記着色層３３が形成される際、カラーの量感と触感を適当に表示できるように前記ポリガード３０の表面を粗くさせ、前記着色層３３が容易に剥がれることを防止する。
【００３４】
図３は、本発明の別の実施形態に係る３次元装飾パネルを図解説明する断面図である。
【００３５】
本発明のパネルが天井材又は壁材として用いられる場合、前記補強芯１２は、ランプや壁掛け式の装飾品を容易に懸装できるように前記発泡スチロール２０から外方向に延出する。ネジ部分１３は前記補強芯１２の自由端に形成されるので、ランプや壁掛け式の装飾品が前記ネジ部分に螺合できるようになっている。
【００３６】
図６及び図７は、本発明の実施形態に係る３次元装飾パネルにタイル４１を取り付ける工程を説明する図である。上記のように、前記発泡スチロール２０がＣＮＣマシンによって陽刻（浮き彫り）され、その表面が硬化された後に、その表面をさまざまなカラーで着色することも可能である。また、多種多様なパターンのタイル４１を本発明のパネルの外面に取り付けることも可能である。
【００３７】
前記タイル４１を取り付けるために、前記発泡スチロール２０には、前記タイル４１を受け入れるための係止部分４０が設けられ、接着剤が前記タイル４１の後面に塗布される。前記構造により、前記タイル４１は前記係止部分４０と前記接着剤とによって固定される。
【００３８】
図７は、本発明の別の実施形態に係る３次元装飾パネルへのタイル４０の取り付け工程を説明する斜視図である。前記発泡スチロール２０には、図６に示した前記係止部分４０代わりに、前記タイル４１を支持するための係止ピン４２が設けられている。前記タイル４１は前記係止ピン４２によって取り付けられる。
【００３９】
図８は、３次元壁を用いて本発明の実施形態に係る３次元装飾パネル図解説明する斜視図であり、図９は、本発明の実施形態に係る３次元装飾パネルを用いて３次元柱を図解説明する斜視図である。
【００４０】
図８を参照すると、前記発泡スチロール２０が３次元形状を有するようにＣＮＣマシンによって加工された後、前記折り曲げ部分１１を有する前記金属板１０は、前記発泡スチロールに取り付けられる。この実例では、前記金属板１０に取り付けられた前記補強芯１２は、前記突出する発泡スチロール２０を安定的に支持するために、３次元発泡スチロール２０の長さに比例した長さを有する。
【００４１】
図９を参照すると、前記発泡スチロールが半円形断面柱として形成された後に、２枚の発泡スチロールが互いに付着されて空洞円形柱を形成する。該円形柱は既存構造を囲うこともできる。
【産業上の利用可能性】
【００４２】
前述から分かるように、本発明のパネルはさまざまな形状で製造することが可能である。また、前記パネルは要素で製造されるので、設置現場で塵埃や匂いを生じることがない。前記パネルは、組立品として現場に設置されるので、作業期間を短縮できる。
【００４３】
さらに、前記３次元パネルは、カラーの量感と触感を適当に表示できるように、さまざまなカラーを搭載して提供することも可能である。
【００４４】
本発明を現時点で最も実用的で好適な実施形態と考慮されるものに関連して説明したが、当然のことながら、本発明は開示した実施形態及び前記図面に限定されるものではない。これに対し、さまざまな修正形態及び変形形態は添付の特許請求の真の趣旨及び範囲内に包含されるものである。
【図面の簡単な説明】
【００４５】
本発明の前述及び他の目的、特徴及び利点は、下記の添付図面を併用すると、以下の詳細説明からより明らかになるであろう。
【図１】図１は、本発明の好適な実施形態に係る３次元装飾パネルを図解説明する分解斜視図である。
【図２】図２は、本発明の実施形態に係る３次元装飾パネルを図解説明する断面図である。
【図３】図３は、本発明の別の実施形態に係る３次元装飾パネルを図解説明する断面図である。
【図４】図４は、本発明の実施形態に係る３次元装飾パネルを壁に固定するための弾性スリーブを図解説明する斜視図である。
【図５】図５は、本発明の実施形態に係る３次元装飾パネルを壁に固定するための弾性スリーブを図解説明する断面図である。
【図６】図６は、本発明の実施形態に係る３次元装飾パネルへのタイル取り付け工程を説明する斜視図である。
【図７】図７は、本発明の別の実施形態に係る３次元装飾パネルへのタイル取り付け工程を説明する斜視図である。
【図８】図８は、本発明の実施形態に係る３次元装飾パネルを用いて３次元壁を図解説明する斜視図である。
【図９】図９は、本発明の実施形態に係る３次元装飾パネルを用いて３次元柱を図解説明する斜視図である。
【図１】
2009504443.tif 000003
【図２】
2009504443.tif 000004
【図３】
2009504443.tif 000005
【図４】
2009504443.tif 000006
【図５】
2009504443.tif 000007
【図６】
2009504443.tif 000008
【図７】
2009504443.tif 000009
【図８】
2009504443.tif 000010
【図９】
2009504443.tif 000011
【国際調査報告】
2009504443.tif 000012
2009504443.tif 000013